(57)【特許請求の範囲】
【請求項１】
概略円筒状の注入部を有するとともに該注入部から内部に液体が充填されるリザーバ本体と、
概略有底円筒状をなすとともに前記注入部に係合して該注入部を閉塞するキャップと、
該キャップによる前記注入部の閉塞時にこれらキャップと注入部との間に外周部が押圧挾持され、かつ、該外周部に前記注入部の内周面側に当接して径方向の移動を規制する環状の移動規制用リブが設けられるとともに、該移動規制用リブの径方向外側に環状の締め代保持用リブが設けられ、前記外周部の内周側に中間部が設けられてなる弾性変形可能なシール部材と、
を有するリザーバにおいて、
前記注入部の内周面には、所定角度で面取りされたテーパ部が設けられ、
前記移動規制用リブは、半径方向内側方向の剛性が小さくされるとともに、その先端側が前記テーパ部に当接され、
前記締め代保持用リブは半径方向内側方向の剛性が小さくされ、
前記シール部材の外周部の、前記移動規制用リブおよび前記締め代保持用リブに対し反対側の前記キャップへの当接面は略平面状に形成され、この略平面状部分の前記締め代保持用リブより半径方向内側位置に環状の凹部が形成され、該環状の凹部より半径方向内側に前記移動規制用リブが形成され、
前記移動規制用リブは、内径側が突出方向の全高さにおいて略同一径に形成された略ストレート形状に、外径側が根元側で大径とされ突出先端側に向けて徐々に小径となる略テーパ形状となり、この略テーパ形状となった外径側が前記注入部の内周に形成されたテーパ部に当接し、
前記締め代保持用リブは、内径側が突出方向の全高さにおいて略同一径に形成された略ストレート形状に、外径側が根元側で大径とされ突出先端側に向けて徐々に小径となる略テーパ形状に形成されたことを特徴とするリザーバ。
【発明の詳細な説明】
【０００１】
【発明の属する技術分野】
本発明は、内部に充填された液体を必要に応じて外部に供給するリザーバに関する。
【０００２】
【従来の技術】
従来、内部に充填された液体を必要に応じて外部に供給するリザーバとして、実開平５−８９２５２号公報に開示されたものがあり、これは、図７に示すように、概略円筒状の注入部５０を有するとともに該注入部５０から内部に液体が充填されるリザーバ本体５１と、概略有底円筒状をなすとともに注入部５０に係合して該注入部５０を閉塞するキャップ５２と、該キャップ５２による注入部５０の閉塞時にこれらキャップ５２と注入部５０との間に外周部５３が押圧挾持されるとともに、該外周部５３に、締め代を保持するための環状の締め代保持用リブ５４および径方向の移動規制のための環状の移動規制用リブ５５が設けられてなる弾性変形可能なシール部材５６とを有するものである。
そして、締め代保持用リブ５４および移動規制用リブ５５は、共に、径方向に沿って切断した断面形状が該方向における幅の二等分線に対して線対称形状の山型をなしている。
【０００３】
【発明が解決しようとする課題】
しかしながら、上記従来のリザーバにおいては、以下の問題があった。
締め代保持用リブ５３は、径方向に沿って切断した断面形状が該方向における幅の二等分線に対して線対称の山型をなしており半径方向における内外両方向の剛性が等しいため、キャップ５２および注入部５０の係合時にこれらの押圧方向に沿ってそのままつぶれることによって締め代を保持し、これらの間のシール性を確保することになる。よって、締め代のわりには、係合状態にあるキャップ５２あるいは注入部５０へ及ぼす押圧力が大きく、これらの変形を促進して逆にシール性を低下させてしまう。
また、移動規制用リブ５５も径方向に沿って切断した断面形状が該方向における幅の二等分線に対して線対称形状の山型をなしており、半径方向における内外両方向の剛性が等しいため、図７に示すように、注入部５０の内周面側に当接すると該注入部５０から受ける力での変形が大きくなく、よって、シール部材５６は中間部５７がキャップ５２側に持ち上げられ該中間部５７に撓みが生じてしまうという問題があった。このため、中間部５７に呼吸用のスリットが形成されている場合、該スリットが常時開口する等、呼吸性能を阻害させてしまうことになる。
【０００４】
したがって、本発明の目的は、締め代保持用リブの押圧力によるキャップあるいは注入部の変形の発生を抑制でき、または、移動規制用リブによるシール部材の中間部の撓みの発生を防止することができるリザーバを提供することである。
【０００５】
【課題を解決するための手段】
本発明の請求項１記載のリザーバは、概略円筒状の注入部を有するとともに該注入部から内部に液体が充填されるリザーバ本体と、概略有底円筒状をなすとともに前記注入部に係合して該注入部を閉塞するキャップと、該キャップによる前記注入部の閉塞時にこれらキャップと注入部との間に外周部が押圧挾持され、かつ、該外周部に前記注入部の内周面側に当接して径方向の移動を規制する環状の移動規制用リブが設けられるとともに、該移動規制用リブの径方向外側に環状の締め代保持用リブが設けられ、前記外周部の内周側に中間部が設けられてなる弾性変形可能なシール部材と、を有するリザーバにおいて、前記注入部の内周面には、所定角度で面取りされたテーパ部が設けられ、前記移動規制用リブは、半径方向内側方向の剛性が小さくされるとともに、その先端側が前記テーパ部に当接され、前記締め代保持用リブは半径方向内側方向の剛性が小さくされ、前記シール部材の外周部の、前記移動規制用リブおよび前記締め代保持用リブに対し反対側の前記キャップへの当接面は略平面状に形成され、この略平面状部分の前記締め代保持用リブより半径方向内側位置に環状の凹部が形成され、該環状の凹部より半径方向内側に前記移動規制用リブが形成され、前記移動規制用リブは、内径側が突出方向の全高さにおいて略同一径に形成された略ストレート形状に、外径側が根元側で大径とされ突出先端側に向けて徐々に小径となる略テーパ形状となり、この略テーパ形状となった外径側が前記注入部の内周に形成されたテーパ部に当接し、前記締め代保持用リブは、内径側が突出方向の全高さにおいて略同一径に形成された略ストレート形状に、外径側が根元側で大径とされ突出先端側に向けて徐々に小径となる略テーパ形状に形成されたことを特徴としている。
【０００６】
これにより、締め代保持用リブは、半径方向内側方向の剛性が小さくされてなるため、キャップおよび注入部の係合時にこれらの押圧方向に対してそのままつぶれることなく、半径方向内側方向側に撓みつつ締め代を保持し、これらの間のシール性を確保する。
また、シール部材の外周部の締め代保持用リブに対し反対側に、該締め代保持用リブより半径方向内側位置に環状の凹部が形成されてなるため、締め代保持用リブは半径方向内側方向側にさらに容易に撓むことになる。
また、移動規制用リブは、半径方向内側方向の剛性が小さくされてなるため、注入部の内周面側に当接すると該注入部から受ける力で半径方向内側方向に容易に変形し、よって、シール部材は中間部がキャップ側に持ち上げられることがない。
【００１１】
【発明の実施の形態】
本発明のリザーバの一の実施の形態について図１〜図６を参照して以下に説明する。なお、本実施の形態のリザーバは車両のマスタシリンダに取着されて用いられるものである。
【００１２】
図中符号１は合成樹脂製のリザーバ本体を示しており、該リザーバ本体１の内部にはブレーキ液が充填されるようになっている。該リザーバ本体１の上部には外部からブレーキ液を注入するための概略円筒状の注入部２が設けられている。そして、該注入部２の上端部には径方向外方へ向けて突出する環状のフランジ部３が形成されており、該フランジ部３の外周面には隣り合うもの同士がほぼ１２０゜の間隔をなす位置にバイオネット溝４が形成されている。各バイオネット溝４は、そのキャップ（後述する）締付方向先端側の溝端部（図２および図３参照）５に向かうにしたがって下方に位置するよう傾斜しており、溝端部５近傍の所定位置には係合凹部６が形成されている。また、注入部２の開口部７側の内周面には所定角度で面取りされたテーパ部８が設けられている。
【００１３】
また、図中符号９は、上記リザーバ本体１の注入部２に係合して該注入部２の開口部７を閉塞するキャップを示しており、該キャップ９は、円筒部１０と天蓋部１１とを有する概略有底円筒状をなしている。前記円筒部１０の、天蓋部１１から所定量離間した内周部には、隣り合うもの同士がほぼ１２０゜の間隔をなす位置に、径方向内方に突出するバイオネット突起（突起）１２が形成されている（図４参照）。そして、この各バイオネット突起１２を各バイオネット溝４が形成されていない部分に対応させて該キャップ９を注入部２に嵌合し、該キャップ９を、各バイオネット突起１２が各バイオネット溝４に入り込む方向に回動させることにより、各バイオネット突起１２に形成された係合凸部１３がバイオネット溝４の係合凹部６に係合して、キャップ９が注入部２に係合するようになっている。また、キャップ９の天蓋部１１には、円筒部１０の延在方向に沿って所定量延出する複数の円弧状の突壁１４が同心円上に配置されて設けられている。
【００１４】
そして、係合時にキャップ９と注入部２との間に隙間が形成されないようにするため、これらの間にはシール部材１５が介装されている。このシール部材１５は、キャップ９による注入部２の閉塞時に該キャップ９の天蓋部１１の内面側と注入部２の上端面とで押圧挾持される環状の外周部１６と、この外周部１６の内周側に上端部において連結される円筒状の連結部１７と、この連結部１７の下端部に連結する中間部１８と有する弾性変形可能な材料からなる一体成形品である。そして、キャップ９のバイオネット突起１２と天蓋部１１との間に外周部１６を挿入させることにより、キャップ９のリザーバ本体１への非係合状態においては、該キャップ９から脱落することがないよう保持されるようになっている。また、キャップ９とリザーバ本体１とが係合状態にあるとき、連結部１７の内周面側には、キャップ９の上記突壁１４が若干のクリアランスをもった状態で対向するようになっており、この突壁１４により、キャップ９のリザーバ本体１への係合時におけるシール部材１５のキャップ９に対する径方向内方への移動が規制されるようになっている。加えて、中間部１８の中央には、表裏に貫通する切れ目状のスリット２１が形成されている。さらに、外周部１６の連結部１７側の所定位置には、キャップ９を注入部２に係合させる際に、注入部２のテーパ部８に当接して該シール部材１５の径方向外方への移動を規制する環状の移動規制用リブ１９が、外周部１６と同心をなして注入部２側に設けられている。
【００１５】
本実施の形態において、移動規制用リブ１９は、図５に示すように、径方向に沿って切断した断面形状が該方向における幅の二等分線に対して非線対称形状をなしている。すなわち、内径側が、突出方向の全高さにおいて略同一径に形成された略ストレート形状に、外径側が、根元側が大径で突出先端側に向け徐々に小径となる略テーパ形状とされている。これにより、移動規制用リブ１９は、半径方向内側方向の剛性が小さく、言い換えれば半径方向内側方向に変形容易となっている。よって、シール部材１５が、キャップ９および注入部２の係合時にこれらで挾持押圧されると、移動規制用リブ１９は、注入部２の内周面側のテーパ部８に当接し該テーパ部８から受ける力で半径方向内側方向に先端側が倒れるよう容易に大きく変形する。
【００１６】
シール部材１５の外周部１６の移動規制用リブ１９より所定量径方向外側には、環状の締め代保持用リブ２０が、移動規制用リブ１９と同心をなして注入部２側に形成されている。ここで、この締め代保持用リブ２０が外周部１６の注入部２側に設けられることにより、シール部材１５は、その外周部１６の天蓋部１１側が略平面状に形成されている。なお、締め代保持用リブ２０は、移動規制用リブ１９に近接して設けられている。また、締め代保持用リブ２０は、移動規制用リブ１９よりもその突起の高さおよび断面の容積が小さくなっている。
【００１７】
本実施の形態において、締め代保持用リブ２０も、径方向に沿って切断した断面形状が該方向における幅の二等分線に対して非線対称形状をなしている。すなわち、内径側が、突出方向の全高さにおいて略同一径に形成された略ストレート形状に、外径側が、根元側が大径で突出先端側に向け徐々に小径となる略テーパ形状とされ、さらに突出先端側が円弧状に面取りされた形状をなしている。これにより、締め代保持用リブ２０は、半径方向内側方向の剛性が小さく、言い換えれば半径方向内側方向に変形容易となっている。よって、締め代保持用リブ２０は、キャップ９および注入部２の係合時にこれらで挾持押圧されると、半径方向内側方向側に注入部２の平面状の上端面との接点が移動し、いわゆるリップシールの様な状態で保持される。
【００１８】
また、本実施の形態において、シール部材１５の外周部１６の締め代保持用リブ２０に対し反対側には、該締め代保持用リブ２０の半径方向内側位置に近接して、断面円弧状の環状の凹部２２が、外周部１６と同心をなして形成されている。なお、この凹部２２より半径方向内側位置に上記移動規制用リブ１９が形成されている。
【００１９】
以上のような構成のリザーバによれば、締め代保持用リブ２０は、半径方向内側方向の剛性が小さくされているため、キャップ９および注入部２の係合時にこれらで挾持押圧されてもこれら押圧方向に対してそのままつぶれることはなく、半径方向内側方向側に注入部２の上端面との接点が移動し先端側が倒れるよう撓みつつ締め代を保持し、これらの間のシール性を確保することになる。
このように、締め代保持用リブ２０が、半径方向内側方向側に撓むことにより、係合状態にあるキャップ９あるいは注入部２へ該締め代保持用リブ２０が及ぼす押圧力を小さくでき、例えば図６に示す注入部２のフランジ部３に生じる変形θ等を抑制することができるため、高いシール性を確保することができる。
加えて、仮に変形θ等が生じても、締め代保持用リブ２０は、フランジ部３との接点が半径方向外側方向側に移動して変形θに良好に追従することになり、高いシール性能を維持できる。
【００２０】
また、シール部材１５の外周部の締め代保持用リブ２０に対し反対側に、該締め代保持用リブ２０より若干半径方向内側位置に環状の凹部２２が形成されているため、締め代保持用リブ２０は半径方向内側方向側にさらに容易に撓むことになる。したがって、係合状態にあるキャップ９あるいは注入部２へ及ぼす押圧力をさらに小さくでき、これらの変形を抑制してさらに高いシール性を確保することができる。なお、凹部２２は、シール部材１５の外周部１６の締め代保持用リブ２０に対し反対側に、締め代保持用リブ２０の変形に効果を発揮する位置に設ければよいが、上記した該締め代保持用リブ２０より若干半径方向内側位置に設けるのが効果的である。
【００２１】
さらに、移動規制用リブ１９は、半径方向内側方向の剛性が小さくされてなるため、注入部２の内周面側のテーパ部８に当接すると該テーパ部８から受ける力で半径方向内側方向に先端側が倒れるよう大きく変形し、よって、シール部材１５は中間部１８がキャップ９側に持ち上げられることなく平面状を維持することができる。したがって、このようにしてシール部材１５の中間部１８の撓みの発生を防止することができ該中間部１８をストレスがない状態に維持できるため、中間部１８に形成されたスリット２１の開弁性能すなわち呼吸性能の安定性を確保することができる。
【００２２】
【発明の効果】
以上詳述したように、本発明のリザーバによれば、締め代保持用リブは、半径方向内側方向の剛性が小さくされてなるため、キャップおよび注入部の係合時にこれらの押圧方向に対してそのままつぶれることなく、半径方向内側方向側に撓みつつ締め代を保持し、これらの間のシール性を確保する。
このように、半径方向内側方向側に撓むことにより、係合状態にあるキャップあるいは注入部へ及ぼす押圧力を小さくでき、これらの変形を抑制して高いシール性を確保することができる。
また、シール部材の外周部の締め代保持用リブに対し反対側に、該締め代保持用リブより半径方向内側位置に環状の凹部が形成されてなるため、締め代保持用リブは半径方向内側方向側にさらに容易に撓むことになる。
したがって、係合状態にあるキャップあるいは注入部へ及ぼす押圧力をさらに小さくでき、これらの変形を抑制してさらに高いシール性を確保することができる。
また、移動規制用リブは、半径方向内側方向の剛性が小さくされてなるため、注入部の内周面側に当接すると該注入部から受ける力で半径方向内側方向に容易に変形し、よって、シール部材は中間部がキャップ側に持ち上げられることがない。従って、シール部材の中間部の撓みの発生を防止することができる。
【図面の簡単な説明】
【図１】本発明のリザーバの一の実施の形態のキャップ、シール部材およびリザーバ本体の一部を示す側断面図である。
【図２】本発明のリザーバの一の実施の形態のリザーバ本体を示す平面図である。
【図３】本発明のリザーバの一の実施の形態のリザーバの注入部を図２におけるＸ方向から見た側面図である。
【図４】本発明のリザーバの一の実施の形態のキャップを示す側断面図である。
【図５】本発明のリザーバの一の実施の形態のシール部材を示す側断面図である。
【図６】本発明のリザーバの一の実施の形態のキャップ、シール部材およびリザーバ本体の一部を示す側断面図であって、リザーバ本体のフランジ部に生じた変形を示すものである。
【図７】従来のリザーバの、キャップ、シール部材およびリザーバ本体の一部の係合状態を示す側断面図である。
【符号の説明】
１  リザーバ本体
２  注入部
９  キャップ
１５  シール部材
１９  移動規制用リブ
２０  締め代保持用リブ
２２  凹部
【図１】
0003874822.tif 000002
【図２】
0003874822.tif 000003
【図３】
0003874822.tif 000004
【図４】
0003874822.tif 000005
【図５】
0003874822.tif 000006
【図６】
0003874822.tif 000007
【図７】
0003874822.tif 000008